(57)【特許請求の範囲】
【請求項１】
コンピュータ制御の横編機もしくは丸編機を用い、給糸口を連行手段により連行することにより、針床の針に複数の給糸口から編糸を選択的に供給すると共に、針の引き込み量を度目制御モータにより制御することにより編目のループ長を制御する編成方法において、
度目制御部により度目制御モータを制御することにより、針の引き込み量を制御すると共に、
連行制御部により、給糸口の連行手段を制御することにより、いずれの給糸口からの編糸を針に供給するかを制御することによって、
編地の編幅に比例して編目の幅サイズがウエール方向に沿って連続的に変化し、編目の幅サイズが変化しても、編目の風合が一定に保たれるように、大きなループ長で太い編糸からなる大きなサイズの編目のコースと、小さなループ長で細い編糸からなる小さなサイズの編目のコースとを編成することを特徴とする、編成方法。
【請求項２】
編目のループ長を編糸の太さよりも多段階に変えることを特徴とする、請求項１の編成方法。
【請求項３】
同じ糸を引き揃える本数を変えることにより、編糸の太さを変えることを特徴とする、請求項２の編成方法。
【請求項４】
編目のループ長と編糸の太さとを変えてテストピースを編成するステップと、
テストピースから、編目のループ長と編糸の太さとの組み合わせに対する編目の幅サイズと縦サイズとを求めるステップと、
編地のパターンの幅サイズに比例して編目の幅サイズが変わるように、編目サイズのデータに基づき、コース方向の編目数と前記の組み合わせと編目のコース数とを決定するステップとを、さらに実行することを特徴とする、請求項１〜３のいずれかの編成方法。
【請求項５】
コンピュータ制御の横編機もしくは丸編機のための編成データを作成するデザインシステムにおいて、
編目のループ長と編糸の太さとの組み合わせに対する編目の幅サイズと縦サイズとの入力を受け付けて、受け付けた入力を記憶する記憶部と、
編地のパターンでの幅サイズに比例して編目の幅サイズが変わるように、前記記憶部のデータに基づき、コース方向の編目数と、各コースでの前記の組み合わせと、編目のコース数とのデータを決定する編目データ決定部と、
前記データの修正手段と、
修正手段により修正されたデータを編成データに変換するデータ変換部とを備えることにより、
編地の編幅に比例して編目の幅サイズがウエール方向に沿って連続的に変化し、編目の幅サイズが変化しても、編目の風合が一定に保たれている編地の編成データを出力するように構成されていることを特徴とする、デザインシステム。
【請求項６】
コンピュータ制御の横編機もしくは丸編機で編成され、大きなループ長で太い編糸からなる大きなサイズの編目のコースと、小さなループ長で細い編糸からなる小さなサイズの編目のコースとを備え、かつ編地の編幅に比例して編目の幅サイズがウエール方向に沿って連続的に変化し、編目の幅サイズが変化しても、編目の風合が一定に保たれている編地。
【発明の詳細な説明】
【技術分野】
【０００１】
この発明は、パターンの外形に従って編幅が徐々に変わる編地の編成に関する。
【背景技術】
【０００２】
パターンの外形に従って編幅を変更するため、増し目あるいは目減らしによって編目を増減することが行われている。しかしながら増し目を行うと１本のウエールが増し目により２本に分岐し、目減らしでは２本のウエールが１本に減少する。このためウエールが分岐して綺麗に繋がらず、さらに粗いゲージの場合、連続しているはずの柄が途中で途切れる場合がある。そこで編目の増減によらずに、編幅を変化させる技術が必要である。
【０００３】
特許文献１（特開2005-325486）は、編目サイズが丸編機の度目により変化することを利用し、ソックスのレッグ部の着圧を変化させることを開示している。特許文献１では、向こう脛と脹ら脛とで編目サイズを変え、レッグの高さ方向に沿って向こう脛と脹ら脛との編目の比率を変えることにより、レッグ部の着圧を高さ方向に沿って変化させる。しかしながら特許文献１のレッグ部には２種類のサイズの編目が用いられ、編地はコース方向に沿って均質ではない。また同じ糸で大きな編目と小さな編目とを編成すると、大きな編目が透けるなどにより、大小により編目の見栄えが異なる。
【０００４】
特許文献２（特許4491525）は、編糸の本数等を変えることにより、スパッツに伸縮性の高い部分と緊締力が高い部分とを設けることを開示している。そして編糸の本数以外に、編糸の太さ、断面形状等を変更することによっても、緊締力を調整できるとしている。特許文献２は伸縮性と緊締力とを調整することを検討しているが、パターンに従った外形を編目の増減によらずに実現することは検討していない。
【先行技術文献】
【特許文献】
【０００５】
【特許文献１】特開2005-325486
【特許文献２】特許4491525
【発明の概要】
【発明が解決しようとする課題】
【０００６】
この発明の課題は、パターンの外形に従って編幅が徐々に変わり、しかも編目の増減が少なく、かつ各編目がほぼ同じ見栄えを持つ、編地を編成できるようにすることにある。
【課題を解決するための手段】
【０００７】
この発明は、コンピュータ制御の横編機もしくは丸編機を用い、給糸口を連行手段により連行することにより、針床の針に複数の給糸口から編糸を選択的に供給すると共に、針の引き込み量を度目制御モータにより制御することにより編目のループ長を制御する編成方法において、
度目制御部により度目制御モータを制御することにより、針の引き込み量を制御すると共に、
連行制御部により、給糸口の連行手段を制御することにより、いずれの給糸口からの編糸を針に供給するかを制御することによって、
編地の編幅に比例して編目の幅サイズがウエール方向に沿って連続的に変化し、即ち、編目サイズの順に３段階以上に変化し、編目の幅サイズが変化しても、編目の風合が一定に保たれるように、大きなループ長で太い編糸からなる大きなサイズの編目のコースと、小さなループ長で細い編糸からなる小さなサイズの編目のコースとを編成することを特徴とする。
【０００８】
この発明のデザインシステムは、コンピュータ制御の横編機もしくは丸編機のための編成データを作成するデザインシステムにおいて、
編目のループ長と編糸の太さとの組み合わせに対する編目の幅サイズと縦サイズとの入力を受け付けて、受け付けた入力を記憶する記憶部と、
編地のパターンでの幅サイズに比例して編目の幅サイズが変わるように、前記記憶部のデータに基づき、コース方向の編目数と、各コースでの前記の組み合わせと、編目のコース数とのデータを決定する編目データ決定部と、
前記データの修正手段と、
修正手段により修正されたデータを編成データに変換するデータ変換部とを備えることにより、
編地の編幅に比例して編目の幅サイズがウエール方向に沿って連続的に変化し、編目の幅サイズが変化しても、編目の風合が一定に保たれている編地の編成データを出力するように構成されていることを特徴とする。
【０００９】
またこの発明の編地は、コンピュータ制御の横編機もしくは丸編機で編成され、大きなループ長で太い編糸からなる大きなサイズの編目のコースと、小さなループ長で細い編糸からなる小さなサイズの編目のコースとを備え、かつ編地の編幅に比例して編目の幅サイズがウエール方向に沿って連続的に変化し、例えば編目サイズの順に連続的に変化し、編目の幅サイズが変化しても、編目の風合が一定に保たれている。
【００１０】
この発明では、編目数を増減するのではなく、編目の幅サイズを変更することにより、編地の幅を変更する。従ってウエールが途中で分岐したり合体したりせずに綺麗に繋がるので、美しい編地となる。また編幅が連続的に変化するので、編地の外形が美しくなる。編目サイズを変えるために、編目のループ長と編糸の太さとを変えるので、サイズが変わっても編目の風合は一定に保たれ、透けて見える編目などは生じず、編地の質感も一定である。なおこの明細書で、編成方法に関する記載はそのままデザインシステムと編地にも当てはまり、編目サイズに対するループ長と編糸の太さを決定する手順は、編成方法にもデザインシステムにも当てはまる。  
【００１１】
好ましくは、編目のループ長を編糸の太さよりも多段階に変える。即ち、編目のループ長は編糸の太さよりも細かく変更でき、編糸の太さが一定のままでループ長を多少変更しても、編目の見栄えは変化しないので、編目のループ長を多段階に変えることにより、編幅をより細かく変えることができる。
【００１２】
また好ましくは、同じ糸を引き揃える本数を変えることにより、編糸の太さを変える。同じ糸とは素材と染色が同じであることで、このようにすると簡単に太さが異なる編糸を入手できる。
【００１３】
特に好ましくは、編目のループ長と編糸の太さとを変えてテストピースを編成するステップと、テストピースから、編目のループ長と編糸の太さとの組み合わせに対する編目の幅サイズと縦サイズとを求めるステップと、編地のパターンの幅サイズに比例して編目の幅サイズが変わるように、編目サイズのデータに基づき、コース方向の編目数と前記の組み合わせと編目のコース数とを決定するステップとを、さらに実行する。
【図面の簡単な説明】
【００１４】
【図１】横編機のブロック図
【図２】実施例のデザインシステムのブロック図
【図３】実施例での、編目サイズに対する糸の太さとループ長の組み合わせを求める手順を示すフローチャート
【図４】実施例での、パターンの外形サイズに対して編目データを決定する手順を示すフローチャート
【図５】実施例での、パターンデーから編目データへの変換を模式的に示す図
【図６】実施例により編成した編地の写真で、1)は後身頃の全体を、2)は境界A付近を拡大して、3)は境界B付近を拡大して示す。
【発明を実施するための形態】
【実施例】
【００１５】
以下に、発明を実施するための最適実施例を示す。
【００１６】
図１〜図６に、実施例を示す。図１は実施例で用いるコンピュータ制御の横編機２のブロック図を示し、横編機２に代えてコンピュータ制御の丸編機を用いてもよい。４は入出力部で、図２に示すデザインシステム２４から編成データ５を受け付け、編成データ解析部６は受け付けた編成データを解析し、解析結果をメモリ８に記憶する。また糸長センサ１０は編成の途中での編糸の消費長を測定し、編目のループ長が編成データで定まるループ長に一致するように、度目制御部１６にフィードバックする。
【００１７】
走行制御部１２は、図示しないキャリッジの走行を制御するため、走行モータＭ１を制御する。選針制御部１４は、図示しない針床の針を選針するため、アクチュエータ１５を制御する。度目制御部１６は、針の引き込み量を制御することによりループ長を制御するため、キャリッジに設けられた度目制御モータＭ２を制御する。１８は連行制御部で、いずれの給糸口２０からの編糸を針に供給するかを制御するため、給糸口２０を連行するソレノイド１９を制御する。
【００１８】
図２は実施例のデザインシステム２４を示し、パターン入力部２６は編地のパターンの入力を受け付け、例えば数値入力により編地のパターン各部のサイズが入力され、もしくはサンプルの型紙の形状がデジタイザで読み込まれる。編目サイズ入力部２８は、編目のループ長と編糸の太さとの組み合わせに対する編目サイズの入力を受け付け、編目サイズはコース方向のサイズ（幅サイズ）とウエール方向のサイズ（縦サイズ）とからなる。編目サイズ記憶部３０は、ループ長と糸の太さの組み合わせに対する編目サイズを記憶する。
【００１９】
編目データ決定部３２は、パターンの幅サイズに比例するように編目サイズを決定し、編目数はコースが変わっても一定である。なおパターンの幅に比例する編目サイズが得られない場合は、増し目もしくは目減らしを行っても良い。パターンの幅サイズ（コース方向のパターンのサイズ）に比例するように編目サイズを決定すると、編目のループ長と編糸の太さがコース毎に定まる。編目の幅サイズを変えると縦サイズも変化し、パターンに従って編目サイズが一定の区間毎にコース数が定まる。
【００２０】
編成データ決定部３２で決定したデータに従って編地を編成すると、編目数はウエール方向に沿って一定となり、パターンの幅に比例するように編目の幅サイズが変化し、このためループ長と編糸の太さとが変化する。そしてパターンのウエール方向に沿って幅サイズが変化すると、編目のループ長と編糸の太さとが変化する。また平編地，リブ編地などの一種類の組織のコースの場合、１コース内で編目のループ長と編糸の太さは一定で、平編みの区間とリブ編みの区間とが混在するコースなどでは、編目サイズが一定となるように、ループ長がコース内で区間毎に変化し、糸の太さはコース内で一定である。
【００２１】
パターンの幅の変化が急激で、編目サイズを幅に比例して変化させることができない個所を修正部３４が検出し、修正部３４は検出した個所に対して、編目の増減を追加する。このようにして、パターンのサイズに従った編地を編成するための基本的なデータが得られる。なお修正部３４は設けなくても良い。
【００２２】
デザイン入力部３６とルーチン記憶部３８とは、前記の基本的なデータを修正し、デザイン入力部３６から組織柄などを追加し、あるいは編地の外形を変更する。ルーチン記憶部３８は襟の編成方法、袖と身頃の接続方法などの種々のルーチンを記憶し、該当する個所にルーチンに従ったデータを割り当てる。以上によってデザインデータを編成データに変換するための準備が整い、データ変換部４０は編目データ決定部３２〜ルーチン記憶部３８により変更されたデザインデータを元に、編成データを作成する。メモリ４２は編成データなどを記憶し、ループシミュレーション部４４は、記憶した編成データに従って、編成後の編地をシミュレーションする。編成データ出力部４６は、編成データをＬＡＮ，ＵＳＢなどに出力し、この編成データが図１の横編機２に入力される。
【００２３】
図３に編糸の太さと編目のループ長の決定手順を示す。糸の太さは種々の方法で変化させることができるが、最も簡単なのは、同じ素材で同じ太さでかつ同じ染色の糸を引き揃える本数を変えることにより、編糸の太さを変えることである。また横編機２では、１個の給糸口２０からの供給以外に、２個の給糸口２０からの糸をプレーティング編成などで重ねて供給することができる。そこで例えば糸を２本引き揃えた編糸と、３本引き揃えた編糸、並びに６本引き揃えた編糸とを異なる給糸口２０に用意し、給糸口２０を１個ずつ用いることにより、太さを２：３：６に変化させることができる。また２個の給糸口２０を組み合わせるとこれ以外に、太さを４：５：８：９：１２にも変化させることができる。またループ長が例えば±１％以内誤差となるように編成でき、ループ長は最大値と最小値との比が２〜３程度まで変化させることができる。これらによって編目サイズを最大値と最小値との比が、２〜３程度まで変化させることができる。
【００２４】
編糸の太さとループ長とを変えながら、テストピースを編成する。編糸の太さとループ長とが変化する毎に別のテストピースとしてもよく、あるいは１つのテストピース内でこれらを変化させても良い（ステップ１）。テストピースを評価し、編目の見栄えが同じで編目サイズが異なる、編目のループ長と編糸の太さの組み合わせを求めて、編目のループ長と編糸の太さの組み合わせ及び編目の縦横のサイズを記憶する（ステップ２）。編目サイズは基本的にループ長で定まり、ループ長と編糸の太さとの組み合わせにより編目の見栄え（風合）が定まる。編地全体で編目の見栄えが同じになるように、ループ長と糸の太さとの組み合わせを変化させる。
【００２５】
図４に編目データの決定手順を示し、編地のパターンから外形サイズを入力する（ステップ１１）。そしてコース方向の編目数が一定となるように、言い換えるとパターンの幅に比例するように、編目の幅サイズを決定し、これに応じた編目のループ長と編糸の太さとを決定する（ステップ１２）。また編目の縦方向サイズから、パターンのウエール方向の形状に一致するように、コース数を決定する（ステップ１３）。そしてパターンの幅方向サイズが一定の区間では、ループ長と編糸の太さは一定で、幅が変わるとループ長と編糸の太さとが変化する。パターンの幅の変化が急激なため、パターンの幅に比例するように編目の幅サイズを変化させることができない場合、編目の増減を追加する（ステップ１４）。なおステップ１４は実行しなくても良い。
【００２６】
図５にフレアスカートを例に、パターン５０から編目データ５２への変換を示す。ｘはパターンの幅を、ｈは丈を表し、ｘの変化に比例するように編目の幅サイズを変化させると、編目データ５２のように編目サイズが異なる区間が例えば８種類発生する。編目の見栄えが共通になるように、各区間に対して編目のループ長と編糸の太さとを決定し、ループ長は編糸の太さよりも細かく変化させることができるので、例えばループ長を８種類に変化させ、編糸の太さを４種類に変化させる。パターン５０では裾の部分の幅の変化が著しいので、編目データ５２に鎖線で示すように、増し目を追加してもよい。
【００２７】
実施例で編成した編地の例を図６に示し、1)は後身頃を示し、2)は境界Aの付近を拡大して示し、3)は境界Bの付近を拡大して示す。編地は下から上向きに編まれ、図の左右方向がコース方向上下方向がウェール方向である。編糸は境界Aより下方では５本の糸を引き揃えたもので、編目のループ長は23mm、境界Aと境界Bの間では８本の糸を引き揃えたもので、編目のループ長は26mmから32mmへと境界Aと境界Bの間で徐々に増加し、境界Bより上方では１０本の糸を引き揃えたもので、編目のループ長は35mmである。図６のサンプルでは編目の増減がないので、ウエールが分岐せずに縦方向に綺麗に繋がっている。また編目サイズが変化しても見栄えが共通になるように編糸の太さを変えているので、風合いが全体として一定である。編糸の太さとループ長とを変化させているが、ウエールが上下に繋がっているので、編幅の変化が目立たず、編幅が滑らかに言い換えると連続的に変化するように見える。さらに増し目あるいは目減らしを行わないので、編成を効率的に短時間で実行できる。
【００２８】
編糸の太さを変化させる場合、同じ素材で同じ染色とし、太さのみを変化させることが好ましい。特に糸を引き揃える本数を変えると、簡単に編糸の太さを変更できる。図６では糸の太さは５本，８本，１０本の３種類であるが、２個の給糸口２０から同じ針に給糸するようにすると、より多段階に変更でき、図６の場合、１３本，１５本，１６本，２０本の太さでも編成できる。図６ではセーターを例としたが、編地の種類は任意で、成形編地でも筒状編地でも良い。編目サイズを２倍程度変化させる場合、小さな編目は針床の各針を用いて、大きな編目は１本置きの針を用いて編成すると、編目が針床上で互いに接触しない。この明細書での大小、太い、細いは全て編目間の相対的な大小と太さ及び細さである。  
【符号の説明】
【００２９】
２          横編機
４          入出力部
５          編成データ
６          編成データ解析部
８          メモリ
１０        糸長センサ
１２        走行制御部
１４        選針制御部
１５        アクチュエータ
１６        度目制御部
１８        連行制御部
１９        ソレノイド
２０        給糸口
２４        デザインシステム
２６        パターン入力部
２８        編目サイズ入力部
３０        編目サイズ記憶部
３２        編目データ決定部
３４        修正部
３６        デザイン入力部
３８        ルーチン記憶部
４０        データ変換部
４２        メモリ
４４        ループシミュレーション部
４６        編成データ出力部
５０        パターン
５２        編目データ
Ｍ１        走行モータ
Ｍ２        度目制御モータ          
【図１】
0005749088.tif 000002
【図２】
0005749088.tif 000003
【図３】
0005749088.tif 000004
【図４】
0005749088.tif 000005
【図５】
0005749088.tif 000006
【図６】
0005749088.tif 000007